(57)【要約】【課題】      糸落ち防止体をスム−スに前後動されて異音の発生を軽減した魚釣用スピニングリ−ルを提供することである。【解決手段】  ロ−タ３の一対のア−ム部３ｄ、３ｅの内側に夫々スプ−ル軸５に対して斜め方向の溝からなる傾斜案内部３ｈ、３ｉが形成されている。  ロ−タ３の前側のスプ−ル軸５の前側太径部５ｂ外周には糸落ち防止体６が軸受２５を介して前後に摺動自在に嵌合されている。  糸落ち防止体６の大径の筒部６ｆの外周には複数の係合突部６ｇ、６ｇが一体に形成され、係合突部６ｇ、６ｇはロ−タ３の傾斜案内部３ｈ、３ｉに挿入されている。【選択図】        図２
2007289055.tif 000002
【特許請求の範囲】
【請求項１】
ハンドルの回転に連動して前後動するスプ−ルと、前記スプ−ルに釣糸を巻回するための釣糸案内部が設けられた支持部材を反転自在に支持する一対のア−ム部を有するロ−タと、前記スプ−ルを支持するスプ−ル軸と前記ロ−タの前記ア−ム部との間に前記スプ−ル軸に係合し且つ前記ロ−タの回転に連動して回転すると共に前記スプ−ルに追随して前後動する糸落ち防止体とを備えた魚釣用スピニングリ−ルにおいて、前記糸落ち防止体は、前記ロ−タの前記ア−ム部と係合する係合突部を有し、この係合突部は前記ア−ム部に前記スプ−ルの前後動方向に摺動するスプ−ル軸に対して斜めに形成された傾斜案内部に係合案内されることを特徴とする魚釣用スピニングリ−ル。
【発明の詳細な説明】
【技術分野】
【０００１】
本発明は、ハンドルの回転に連動して回転すると共にスプ−ルに釣糸を巻回する釣糸案内部を有するロ−タを備えた魚釣用スピニングリ−ルの改良に関する。
【背景技術】
【０００２】
一般に、魚釣用スピニングリ−ルは、スプ−ルに巻回されている釣糸を放出する時に、スプ−ルの釣糸巻回状態が崩れて釣糸が解けてしまう場合がある。
そして、釣糸の巻き取り操作時の張力変化や風の影響等で釣糸に撚れが加わって、釣糸がスプ−ルの後側フランジとロ−タ支持腕との隙間に落ち込んでロ−タ支持腕や内部のスプ−ル軸に絡み付く不具合が発生し易い。
そこで、これらの不具合を防止するために、スプ−ルとロ−タ支持腕の間に糸絡み防止体を設けたものが特許文献１で知られている。
特許文献１で知られている技術は、糸絡み防止体としての糸落ち防止体がスプ−ルとスプ−ル軸の間に設けられており、スプ−ル軸に回転可能に支持されると共にスプ−ル軸に追随して前後動するようになっている。
この場合、糸落ち防止体の後部の環状部には、径方向外側に突出する係合突部が設けられており、また、この係合突部はロ−タ支持腕のスプ−ル側対向部に軸方向に沿って形成された凹入係合溝に遊度を以て係合されている。
したがって、糸落ち防止体はロ−タの回転に連動して回転しながらスプ−ルと共に前後動する。
【０００３】
しかしながら、このような構成では、ロ−タが高速で回転する釣糸巻き取り操作時に、糸落ち防止体もロ−タと共に高速で連動回転しながらスプ−ルに追随して前後動するため、糸落ち防止体の係合突部とロ−タ支持腕の凹入係合溝との係合遊度や、前後動時の摺動状態等の影響によって異音が発生する。
また、糸落ち防止体の係合突部をロ−タ支持腕のスプ−ル（スプ−ル軸）前後動方向に形成した凹入係合溝に係合させながら前後動させる構成上、比較的大きな係合遊度（回転方向のガタ）が必要であり、この遊度の影響により巻き取り操作時に係合突部が凹入係合溝から外れてしまう不具合が発生し易い。
そこで、前記不具合を解消するためにロ−タ支持腕の凹入係合溝に弾性部材を介在し、糸落ち防止体の係合突部が弾性部材を介して係合案内される構成にしたものが特許文献２で知られている。
特許文献２に見られる糸落ち防止構造は、糸落ち防止体の係合突部に弾性部材を設けることで異音の発生を防止すると共に糸落ち防止体の係合脱落を防止することができるが、部品点数が増えてコストアップになり、また、糸落ち防止体の係合突部に設けられている弾性部材がロ−タ支持腕の凹入係合溝と摩擦接触するため、スプ−ル前後動（オシレ−ト動作）時に抵抗が増えてハンドルの回転が重くなる。
【特許文献１】実用新案登録第２５３２８６４号公報
【特許文献２】特開２００４−２０８５７１号公報
【発明の開示】
【発明が解決しようとする課題】
【０００４】
解決しようとする問題点は、特許文献１、特許文献２に見られる糸落ち防止構造は、ロ−タ支持腕に形成された凹入係合溝と糸落ち防止体に設けられた係合突部のスプ−ル（スプ−ル軸）前後動方向の遊度を押える構成でないため、前後方向のガタによって異音が発生することである。
【０００５】
本発明の目的は前記欠点に鑑み、糸落ち防止体をスム−スに前後動されて異音の発生を軽減した魚釣用スピニングリ−ルを提供することである。
【課題を解決するための手段】
【０００６】
本発明の請求項１は、ハンドルの回転に連動して前後動するスプ−ルと、前記スプ−ルに釣糸を巻回するための釣糸案内部が設けられた支持部材を反転自在に支持する一対のア−ム部を有するロ−タと、前記スプ−ルを支持するスプ−ル軸と前記ロ−タの前記ア−ム部との間に前記スプ−ル軸に係合し且つ前記ロ−タの回転に連動して回転すると共に前記スプ−ルに追随して前後動する糸落ち防止体とを備えた魚釣用スピニングリ−ルにおいて、前記糸落ち防止体は、前記ロ−タの前記ア−ム部と係合する係合突部を有し、この係合突部は前記ア−ム部に前記スプ−ルの前後動方向に摺動するスプ−ル軸に対して斜めに形成された傾斜案内部に係合案内されることを要旨とするものである。
【発明の効果】
【０００７】
本発明によれば、糸落ち防止体の係合突部をロ−タのア−ム部にスプ−ルの前後動方向に摺動するスプ−ル軸に対して斜めに形成された傾斜案内部に係合案内したことで、釣糸の巻き取り操作時に糸落ち防止体の係合突部が傾斜案内部の傾斜面によって前後方向の遊度（ガタ）が抑制されるので異音を軽減することができる。
弾性部材を介在していないので、スプ−ル前後動（オシレ−ト動作）時に抵抗が減ってハンドルの回転操作が軽くなると共に、部品点数の削減およびコストダウンが図られて、簡単な構成で遊度（ガタ）を抑制でき、異音を軽減することができる。
【発明を実施するための最良の形態】
【０００８】
ロ−タ３は中心筒部３ａで回転軸筒２に取り付けられ、中心筒部３ａと傾斜した保持壁３ｂと大径の筒部３ｃと大径の筒部３ｃの基部の外周から前方に向けて突出された一対のア−ム部３ｄ、３ｅとで形成されてア−ム部３ｄ、３ｅの内側に夫々スプ−ル軸５に対して斜め方向の溝からなる傾斜案内部３ｈ、３ｉが形成されている。
ロ−タ３の前側のスプ−ル軸５の前側太径部５ｂ外周には糸落ち防止体６が軸受２５を介して前後に摺動自在に嵌合されている。
糸落ち防止体６は中心筒部６ａから放射方向に一体に複数本の腕部６ｂ、６ｃ、６ｄが延びると共に各腕部は後方に向けて屈曲して大径の２段の筒部６ｅ、６ｆの小径側の内側に連結されている。
大径の筒部６ｆの外周には複数の係合突部６ｇ、６ｇが一体に形成されている。
係合突部６ｇ、６ｇはロ−タ３のア−ム部３ｄ、３ｅの内側のスプ−ル軸５に対して斜め方向の溝からなる傾斜案内部３ｈ、３ｉに挿入されている。
【実施例１】
【０００９】
以下、図示の一実施例によって本発明を説明すると、図１は魚釣用スピニングリ−ルの断面側面図、図２はロ−タの断面とスプ−ルの一部断面拡大側面図、図３はロ−タのア−ム部の（ａ）は一方のア−ム部、（ｂ）は他方のア−ム部の要部断面側面図、図４は糸落ち防止体の斜視図、図５はロ−タの一方のア−ム部の要部斜視図、図６はロ−タの他方のア−ム部の要部斜視図である。
【００１０】
魚釣用スピニングスリ−ルは、箱形のリ−ル本体１に図示しない蓋体が取り付けられ、リ−ル本体１の上側には上向きに延びる脚部１ａが形成されている。
リ−ル本体１と図示しない蓋体で保持された図示しない軸受で駆動歯車１０の駆動軸が軸承されてハンドル１１で駆動歯車１０が駆動回転される。
リ−ル本体１の前部の筒部１ｂ内の軸受１２で回転軸筒２の前側が回転自在に支持され、リ−ル本体１内の軸受部１ｃに回転軸筒２の基端が嵌合支持され、基端の前側に一体的にピニオン２ａが形成されて駆動歯車１０に噛合されている。
回転軸筒２の前端にロ−タ３の中心筒部３ａが回り止め嵌合されてナット１３で取り付けられている。
回転軸筒２の中心透孔には前側にスプ−ル４が取り付けられたスプ−ル軸５の太径部５ａが前後往復動可能に摺動自在に挿入されている。
スプ−ル軸５の前側には前側太径部５ｂと前側太径部５ｂ外周の回り止め部５ｃと先端にネジ部５ｄが形成されている。
リ−ル本体１内のスプ−ル軸５の側部にオシレ−ト機構を構成するトラバ−スカム軸１４が設けられて回転軸筒２の回転に連動して回転され、スプ−ル軸５の後端に摺動子１５がビス１６で固定されている。
摺動子１５内にはトラバ−スカム軸１４のカム溝に係合する係合子１７が設けられている。
【００１１】
ロ−タ３は中心筒部３ａで回転軸筒２に取り付けられ、中心筒部３ａと傾斜した保持壁３ｂと大径の筒部３ｃと大径の筒部３ｃの基部の外周から前方に向けて突出された一対のア−ム部３ｄ、３ｅとで形成されてア−ム部３ｄ内の先端軸部３ｆに一方のベ−ル支持部材１８がビス１９で止められ、ア−ム部３ｅ内の先端軸部３ｇに他方のベ−ル支持部材２０がビス２１で止められて釣糸巻取状態と釣糸放出状態に反転自在に軸承されている。
一方のベ−ル支持部材１８にはロ−ラからなる釣糸案内部２２の取付部２３が取り付けられている。
他方のベ−ル支持部材２０と取付部２３の間にベ−ル２４が取り付けられている。
ア−ム部３ｄ、３ｅの内側に夫々スプ−ル軸５に対して斜め方向の溝からなる傾斜案内部３ｈ、３ｉが形成されている。
スプ−ル４は前側鍔部４ａと図示しない釣糸が巻回される釣糸巻回胴部４ｂとスカ−ト部４ｃを備えた後側鍔部４ｄとで形成されている。
【００１２】
ロ−タ３の前側のスプ−ル軸５の前側太径部５ｂ外周には糸落ち防止体６が軸受２５を介して前後に摺動自在に嵌合されている。
糸落ち防止体６は中心筒部６ａから放射方向に一体に複数本の腕部６ｂ、６ｃ、６ｄが延びると共に各腕部は後方に向けて屈曲して大径の２段の筒部６ｅ、６ｆの小径側の内側に連結されている。
大径の筒部６ｆの外周には複数の係合突部６ｇ、６ｇが一体に形成されている。
係合突部６ｇ、６ｇは断面円形が好ましい。
係合突部６ｇ、６ｇはロ−タ３のア−ム部３ｄ、３ｅの内側のスプ−ル軸５に対して斜め方向の溝からなる傾斜案内部３ｈ、３ｉに挿入されている。
糸落ち防止体６の大径の筒部６ｅはスプ−ル４のスカ−ト部４ｃと後側鍔部４ｄに近接して配置され、大径の筒部６ｆはロ−タ３のア−ム部３ｄ、３ｅの内側に近接して配置されている。
糸落ち防止体６の前側のスプ−ル軸５の前側太径部５ｂ外周にスプ−ル４が嵌合されて回り止め部５ｃで回り止めされている。
【００１３】
前記魚釣用スピニングリ−ルの動作は、釣糸がスプ−ル４に巻回される方向にハンドル１１が回転されると、駆動歯車１０が回転されてピニオン２ａを介して回転軸筒２とロ−タ３が正回転される。
釣糸がスプ−ル４に巻回される時は、一方のベ−ル支持部材１８に設けられた釣糸案内部２２のロ−ラで釣糸が案内されて前後に往復動されるスプ−ル４に平行に巻回される。
スプ−ル４とスプ−ル軸５が前後に往復動されると糸落ち防止体６がロ−タ３で回転されながらスプ−ル４に追随される。
この時糸落ち防止体６に設けられた係合突部６ｇ、６ｇはロ−タ３のア−ム部３ｄ、３ｅの内側のスプ−ル軸５に対して斜め方向の溝からなる傾斜案内部３ｈ、３ｉに挿入されているから、係合突部６ｇ、６ｇは傾斜案内部３ｈ、３ｉの傾斜面に押し当てられているので遊度（ガタ）がなく前後に往復動される。
【００１４】
前記のように魚釣用スピニングリ−ルが構成されると、糸落ち防止体６の係合突部６ｇ、６ｇをロ−タ３のア−ム部３ｄ、３ｅにスプ−ル４の前後動方向に摺動するスプ−ル軸５に対して斜めに形成された傾斜案内部３ｈ、３ｉに係合案内したことで、釣糸の巻き取り操作時に糸落ち防止体６の係合突部６ｇ、６ｇが傾斜案内部３ｈ、３ｉの傾斜面によって前後方向の遊度（ガタ）が抑制されるので異音を軽減することができる。
弾性部材を介在していないので、スプ−ル前後動（オシレ−ト動作）時に抵抗が減ってハンドルの回転操作が軽くなると共に、部品点数の削減およびコストダウンが図られて、簡単な構成で遊度（ガタ）を抑制でき、異音を軽減することができる。
【産業上の利用可能性】
【００１５】
なお、本発明は、前述した実施形態に限定されることなく、その要旨を逸脱しない範囲で種々変形実施が可能である。
【図面の簡単な説明】
【００１６】
【図１】魚釣用スピニングリ−ルの断面側面図である。
【図２】ロ−タの断面とスプ−ルの一部断面拡大側面図である。
【図３】ロ−タのア−ム部の（ａ）は一方のア−ム部、（ｂ）は他方のア−ム部の要部断面側面図である。
【図４】糸落ち防止体の斜視図である。
【図５】ロ−タの一方のア−ム部の要部斜視図である。
【図６】ロ−タの他方のア−ム部の要部斜視図である。
【符号の説明】
【００１７】
３  ロ−タ
３ｄ、３ｅ  ア−ム部
３ｈ、３ｉ  傾斜案内部
４  スプ−ル
５  スプ−ル軸
６  糸落ち防止体
６ｇ、６ｇ  係合突部
１１  ハンドル
１８、２０  支持部材
２２  釣糸案内部
【図１】
2007289055.tif 000003
【図２】
2007289055.tif 000004
【図３】
2007289055.tif 000005
【図４】
2007289055.tif 000006
【図５】
2007289055.tif 000007
【図６】
2007289055.tif 000008